(57)【特許請求の範囲】
【請求項１】
被読取媒体の載置に供するマット部と、
前記被読取媒体の画像を光学的に読み取るスキャナ部と、
前記マット部および前記スキャナ部を両端に備えて両者を物理的に離して立設されるシャフト部とを含み、
前記スキャナ部が周囲光を利用して、前記マット部上に載置された被読取媒体の画像を読み取って読取画像データを生成する非接触型イメージ読取装置において、
前記マット部は、長手辺と短手辺とを２つずつ有する板状のものであり、
前記スキャナ部は、前記マット部の長手方向が画像の上下方向となるように前記被読取媒体を撮像するものであり、
前記シャフト部は、棒状のものであり、その一端が前記マット部に配設され、またその他端に前記スキャナ部が配設され、
前記マット部は、該マット部に対する前記被読取媒体の載置の照準となる着脱可能な突き当て部を含むことを特徴とする非接触型イメージ読取装置。
【請求項２】
請求項１に記載の非接触型イメージ読取装置において、該装置は、
前記マット部における長手辺のうち、前記シャフト部が取り付けられる側の一長手辺に沿って配設されて、前記マット部に対する前記被読取媒体の載置の照準となる第１の突き当て部と、
着脱可能な第２の突き当て部とを含み、
前記マット部は、２つの短手辺のそれぞれに沿って第２の突き当て部を取り付け可能な少なくとも２つの取り付け部を含み、
第２の突き当て部は、前記少なくとも２つの取り付け部に対して着脱可能であることを特徴とする非接触型イメージ読取装置。
【請求項３】
請求項２に記載の非接触型イメージ読取装置において、該装置は、
前記スキャナ部で得られた読取画像の上下方向を反転するか否かを指示する切替信号を、第２の突き当て部の前記取り付け部に対する着脱に応じて出力する画像反転切替部を含み、
該切替部からの前記切替信号に応じて、前記読取画像を反転して画像データを生成することを特徴とする非接触型イメージ読取装置。
【請求項４】
請求項１に記載の非接触型イメージ読取装置において、
前記マット部は、略矩形であり、
前記装置は、前記マット部における対向する辺にそれぞれ平行して脱着可能に配設される突き当て部を含むことを特徴とする非接触型イメージ読取装置。
【請求項５】
被読取媒体の載置に供するマット部と、
前記被読取媒体の画像を光学的に読み取るスキャナ部と、
前記マット部および前記スキャナ部を両端に備えて両者を物理的に離して立設されるシャフト部とを含み、
前記スキャナ部が周囲光を利用して、前記マット部上に載置された被読取媒体の画像を読み取って読取画像データを生成する非接触型イメージ読取装置において、
前記マット部は、長手辺と短手辺とを２つずつ有する板状のものであり、
前記スキャナ部は、前記マット部上に載置された前記被読取媒体を撮像するものであり、
前記シャフト部は、棒状のものであり、その一端が前記マット部の一の長手辺または短手辺の側でこの一辺の中央付近に配設され、該シャフト部が前記マット部の一長手辺の中央付近から上方に突出または延出するように立設され、またその他端には前記スキャナ部が配設され、
前記マット部は、該マット部に対する前記被読取媒体の載置の照準となる着脱可能な突き当て部を含むことを特徴とする非接触型イメージ読取装置。
【発明の詳細な説明】
【技術分野】
【０００１】
本発明は、周囲光を利用して帳票などの書類の画像を読み取る非接触型のイメージ読取装置に関するものである。
【背景技術】
【０００２】
従来から、非接触型のイメージ読取装置には、帳票などの被読取媒体を載置するマット部と、被読取媒体のイメージ、すなわち画像を光学的に読み取るスキャナ部とを有して構成される、卓上で使用可能なものがある。イメージ読取装置は、画像処理機能を有するパーソナルコンピュータ（PC：Personal Computer）などの他の処理装置と接続して、読み取ったイメージをこの処理装置に送ることができる。
【０００３】
また、非接触型イメージ読取装置には、シャフト部の両端にマット部およびスキャナ部を備えて両者を物理的に離して構成し、周囲光を利用して被読取媒体のイメージを読み取るものがあり、これにより、マット部上の被読取媒体は、スキャナ部によって覆われることなく、イメージ読み取り中でも視覚的に確認することができる。
【０００４】
このような非接触型イメージ読取装置は、たとえば銀行などの金融機関、役所などの自治体、または百貨店などの小売店において、受付や窓口などの部署でとくに有効に利用することができる。たとえば、このイメージ読取装置は、銀行の窓口端末の一部に組み込まれ、窓口で取り扱う帳票などの書類のイメージを読み取るために利用されるものがある。
【０００５】
受付や窓口の卓上は、通常、操作者の便宜を図って整理され、たとえば、窓口の卓上において操作者の正面には、文書の記載や顧客対応のためにフリースペースとして空けられ、また、右側にはPC操作に利用するモニタなどの表示装置、およびキーボードやマウスなどの操作装置が配置されているので、非接触型イメージ読取装置は、一般的に、窓口の卓上において操作者の左側に配置されている。
【０００６】
したがって、非接触型イメージ読取装置は、操作者の左側に配置されることを想定した上で、操作者の便宜に応じた形状で構成される。たとえば、マット部は、A4サイズの書類に適合した大きさで、書類が縦方向に置かれることを想定して形成され、スキャナ部は、マット部上の書類を適切な向きで読み取ることができるような位置で備えられる。とくにスキャナ部とマット部とを物理的に離すシャフト部を備える非接触型イメージ読取装置では、シャフト部は、操作者が被読取媒体をマット部に挿入したり取り出したりする際に、障害とならないような位置、すなわち操作者に対して対角位置に取り付けられる。
【０００７】
たとえば、特許文献１に記載する非接触スキャナシステムの非接触スキャナ装置では、マット部において操作者から最も遠い位置、すなわち操作者から見て左奥の位置にシャフト部を設けているので、この装置を操作者の左側に配置した場合、帳票などの書類を装置の右側から挿入することになり、装置の右側には取り扱いに障害となるものが存在しないので、操作者はマット部上に書類を置き易い。
【０００８】
また、操作者は作業中にシャフト部が視界に入ると、不快な印象を受けることがあるが、このように操作者から極力遠い位置にシャフト部を設けることにより、シャフト部が操作者の視界に入ることを防ぐことができる。
【０００９】
さらに、非接触型イメージ読取装置は、マット部に対して被読取媒体の書類を載置し易くするために、突起物や壁面状の突き当て部を備えるものがある。とくに、操作者の左側に配置されることを想定した装置では、突き当て部は、操作者から見て左側および／または奥側に備えるとよい。突き当て部は物理的なストッパーとして用いられるので、操作者はマット部に対して被読取媒体を容易に載置することができ、またマット部における読取エリアから被読取媒体がはみ出すことを防ぐこともできる。
【００１０】
突き当て部はマット部上の左側または奥側のいずれか一方の側に備えてもよいが、左側および奥側の２辺に備えることにより、操作性およびはみ出し防止効果を高めることができる。
【先行技術文献】
【特許文献】
【００１１】
【特許文献１】特開２００２−３４４７３９号公報
【発明の概要】
【発明が解決しようとする課題】
【００１２】
しかしながら、窓口レイアウトの状況または他の事情などの利用環境によっては、非接触型イメージ読取装置は、操作者の左側以外の場所に配置したり、スキャナ部の位置が変わるように回転させたりすることがあり、操作者の左側に配置されることを想定して構成されている従来の非接触型イメージ読取装置は、操作性が悪くなり、窓口業務での業務効率が著しく低下することになる。
【００１３】
たとえば、操作者から見て左奥の位置にシャフト部を設けた従来の非接触型イメージ読取装置は、そのまま操作者の右側に配置した場合、シャフト部が障害となって書類をマット部に載置し難くなる。また、操作者から見て装置の左側および奥側に突き当て部を備えた従来の非接触型イメージ読取装置は、そのまま操作者の右側に配置した場合、書類の突き当て方向が逆となり操作性が悪くなる。
【００１４】
本発明はこのような課題に鑑み、操作者から見て左側および右側のいずれに配置された場合でも、操作性を低下させることなく書類の画像を読み取ることができる非接触型イメージ読取装置を提供することを目的とする。
【課題を解決するための手段】
【００１５】
本発明は上述の課題を解決するために、被読取媒体の載置に供するマット部と、この被読取媒体の画像を光学的に読み取るスキャナ部と、このマット部およびこのスキャナ部を両端に備えて両者を物理的に離して立設されるシャフト部とを含み、このスキャナ部が周囲光を利用して、このマット部上に載置された被読取媒体の画像を読み取って読取画像データを生成する非接触型イメージ読取装置において、このマット部は、長手辺と短手辺とを２つずつ有する板状のものであり、このスキャナ部は、このマット部の長手方向が画像の上下方向となるようにこの被読取媒体を撮像するものであり、このシャフト部は、棒状のものであり、その一端がこのマット部の一方の長手辺の側でこの一長手辺の中央付近に配設され、このシャフト部がこのマット部の一長手辺の中央付近から上方に突出または延出するように立設され、またその他端にはこのシャフト部が配設されることを特徴とする。
【発明の効果】
【００１６】
本発明によれば、非接触型イメージ読取装置は、長手辺および短手辺を有するマット部の長手方向を操作者から見て奥側および手前側となるように配置されるもので、スキャナ部を取り付けたシャフト部を、マット部の一方の長手辺の中央付近に立設することにより、本装置を操作者の左手側および右手側のいずれに配置する場合でも、本装置を水平方向に回転させてシャフト部を操作者から遠い位置に置くことができ、いずれの配置においても操作性を低下させることなく、操作者の視界および被読取媒体の載置に障害がなくなり、不快な印象を与えることもなくなる。このように、本発明の非接触型イメージ読取装置では、設置する環境に左右されず、操作者の左手側および右手側のいずれに配置しても、利用制約を付けることなく同様の機能を提供することができる。
【００１７】
また、本発明の非接触型イメージ読取装置は、突き当て部をシャフト部が設けられているマット部の一長手辺の側に取り付けるだけでなく、着脱可能な第２の突き当て部をマット部の短手辺に沿って取り付けるもので、操作者の適宜に応じて、たとえば本装置を操作者の左手側および右手側のいずれに配置するかに応じて、２つの短手辺のいずれかの側を選択して第２の突き当て部を取り付けることができるので、突き当て部を２辺に配設し、操作性および被読取媒体のはみ出し防止効果をより高めることができる。
【００１８】
さらに、本発明の非接触型イメージ読取装置は、スキャナ部で読み取った画像の上下方向を反転させるか否かを指示する画像反転切替部を備えて、この切替部からの切替信号に応じて読取画像の上下反転を制御し、たとえば第２の突き当て部の着脱に応じてこの切替部を制御することができるので、本装置を操作者の左手側および右手側のいずれに配置した場合でも、操作者の便宜に応じた向きで被読取媒体の読取画像データを得ることができる。
【図面の簡単な説明】
【００１９】
【図１】本発明に係る非接触型イメージ読取装置の一実施例を概要的に示す斜視図である。
【図２】図１に示す実施例の非接触型イメージ読取装置を上方から見た概要的な上面図である。
【図３】図１に示す実施例の非接触型イメージ読取装置における画像処理に係る各部を概要的に示すブロック図である。
【図４】本発明に係る非接触型イメージ読取装置の他の実施例において、第２の突き当て部をマット部の一方の短手辺の側に備えた例を概要的に示す斜視図である。
【図５】図４に示す実施例の非接触型イメージ読取装置において、第２の突き当て部をマット部の他方の短手辺の側に備えた例を概要的に示す斜視図である。
【図６】図５に示す実施例の非接触型イメージ読取装置を上方から見た概要的な上面図である。
【図７】本発明に係る非接触型イメージ読取装置のさらなる実施例において、画像処理に係る各部を概要的に示すブロック図である。
【発明を実施するための形態】
【００２０】
次に添付図面を参照して本発明による非接触型イメージ読取装置の実施例を詳細に説明する。図１を参照すると、本発明による非接触型イメージ読取装置10の実施例は、卓上で使用可能なものであり、被読取媒体の載置に供するマット部12と、マット部12上の被読取媒体のイメージ、すなわち画像を光学的に読み取るスキャナ部14とを含み、さらにマット部12およびスキャナ部14を両端に備えて両者を物理的に離しているシャフト部16を含んで構成され、周囲光を利用して被読取媒体のイメージを読み取るものであり、また、マット部14の一辺に突き当て部18を設けている。なお、本発明の理解に直接関係のない部分は、図示を省略し、冗長な説明を避ける。
【００２１】
図２は、本装置10を上方から見た上面図であり、本実施例ではとくに、本装置10は、図２の紙面の上方から見て長手の辺と短手の辺とを２つずつ有する板状のマット部12を、その広い表面が上方に面するように敷設し、またマット部12の一方の長手辺の側で、棒状のシャフト部16をこの一長手辺の中央付近に立設し、シャフト部16がマット部12の一長手辺の中央付近から上方に突出または延出するように構成される。また、本装置10は、スキャナ部14をシャフト部16の他端に取り付け、マット部12上の被読取媒体を適切に撮像できるような位置に配設して構成される。
【００２２】
また、本装置10は、たとえば図３に示すように、本装置全体の動作を統括制御する制御部22、ならびにスキャナ部14で読み取った画像およびその他のデータを記憶する画像メモリ24を含んで構成されてよい。本装置10は、パーソナルコンピュータ（PC：Personal Computer）などの外部の他の処理装置と無線または有線で接続する入出力部（図示せず）を含んで構成されてよく、また、本装置10は、スキャナ部14の画像読み取りを始動させる操作部（図示せず）を備えてもよく、また、この始動の指示を外部機器から入出力部を介して入力してもよい。
【００２３】
制御部22は、たとえば中央演算処理装置（Central Processing Unit：CPU）でよく、スキャナ部14の画像読み取り駆動や、画像メモリ24に対して画像の書き込みおよび読み出しを制御することができる。したがって、スキャナ部14で撮像した読取画像102は、制御部22を介して処理されて画像データ104が生成され、画像メモリ24に書き込まれる。また、制御部22は、スキャナ部14からの読取画像102の上下方向を反転させて画像データ104を生成する機能を有してもよく、たとえば操作部の操作に応じて、画像の反転を切り替えるようにしてもよい。
【００２４】
本実施例において、マット部12は、長手の辺と短手の辺とを有する板状のもので、その表面上に被読取媒体を載置するのに適した形状で形成され、図１および図２では角丸長方形状を有しているが、その他の形状で形成されてもよい。たとえば、マット部12は、被読取媒体としてA4サイズなどの所定のサイズの書類を載置できる大きさでよい。マット部12は、少なくともその表面が、室内照明などの周囲光に対して低反射率を有しつつ、被読取媒体として書類を載置するのに適した材料で形成され、たとえば反射率の低い色を有する樹脂をその材料として用いてよい。図面では各部を説明するため、便宜上、マット部12に配色を施していないが、実際には、黒色などの低反射率の色が配色される。マット部12は、それ自体が本装置10の台座として構成されてもよいが、本装置10の台座（図示せず）の上に敷設されてもよい。
【００２５】
また、スキャナ部14は、たとえば電荷結合素子（Charge Coupled Device：CCD）や金属酸化膜型半導体（Metal Oxide Semiconductor：MOS）などの撮像素子を含んで構成されてよい。スキャナ部14は、たとえば本装置10における制御部22からの画像読み取り指示に応じて撮像素子を駆動し、マット部12上に載置された被読取媒体を周囲光を利用して撮像し、その撮像結果である読取画像102のデータを生成して制御部22または画像メモリ24に送るものである。本実施例ではとくに、スキャナ部14は、マット部12の長手方向が画像の上下方向となるように撮像素子を配設して被読取媒体を撮像する。
【００２６】
本実施例のスキャナ部14は、シャフト部16の端部に接続され、撮像素子の撮像面を下方に向けて、すなわちマット部12の表面に向けて配設される。スキャナ部14は、マット部12上の被読取媒体を適切に撮像できるような位置、たとえば図２の紙面の上方から見てマット部12の表面の中心付近に相当する位置に配設されるとよい。また、スキャナ部14は、シャフト部16に対して固定しても、または着脱可能に取り付けられてもよい。スキャナ部14は、制御信号および画像データをやり取りする有線によって制御部22または画像メモリ24と接続されてもよく、この有線をシャフト部16の内部を通して配線してもよい。
【００２７】
シャフト部16は、マット部12からスキャナ部14を物理的に離して配設するための棒状のスタンドである。本実施例ではとくに、シャフト部16は、マット部12の一方の長手辺の側で、この一長手辺の中央付近から上方に突出または延出するように立設されて構成される。
【００２８】
本装置10において、シャフト部16は、その一端が、マット部12の一長手辺の中央から他方の一長手辺とは逆方向に延びる垂直線上において、この一長手辺を有するマット部12の側部またはこの側部に面する本装置10の台座に対して取り付けられる。また、シャフト部16は、その他端にスキャナ部14を取り付けることができ、マット部12上の被読取媒体を適切に撮像できる位置でスキャナ部14を配設することができる。
【００２９】
たとえばシャフト部16は、マット部12から所定の距離を保つ柱状部材と、上方に延びる柱状部材に対して横方向に突き出てスキャナ部14を支持する支持部材とを有して構成されてよく、また両者が一体化して、図１に示すように柱状部材から支持部材が曲げられて構成されてもよい。また、シャフト部16は、マット部12または本装置10の台座に設けた軸受け部に取り付けられてもよい。軸受け部は、マット部12の一長手辺である側部またはこの側部に面する本装置10の台座から、マット部12の他の長手辺と反対の方向に突出して設けられてもよい。シャフト部16は、マット部12もしくは本装置10の台座、またはそれらの軸受け部に対して固定しても、または着脱可能に取り付けられてもよい。
【００３０】
突き当て部18は、マット部12の表面から上方に向けて突出する突起状または壁状のもので、被読取媒体である帳票などの書類をマット部12に載置する際に照準となり、その載置を容易にするものである。本実施例において、突き当て部18は、マット部12の長手辺のうち、シャフト部16が設けられる側の辺に沿って配設され、たとえばこの辺に平行して配設されてよい。
【００３１】
図１において、突き当て部18は、突起状かつ円柱状の複数のストッパーが適用されているが、円柱状以外の他の形状の突起物でもよく、また、長手方向のいずれにおいても断面積が均一であるような棒状のストッパーでもよい。また、突き当て部18は、この長手辺に平行していれば、マット部12または本装置10の台座の上面または側面に配設されてもよく、マット部12または本装置10の台座と一体化して構成されてもよい。
【００３２】
本装置10は、マット部12の長手方向が、操作者から見て奥側および手前側を向くように配置されるのに適したものであり、この場合、図２の紙面の上方から見てマット部12の２つの長手辺が左辺および右辺になる。操作者の便宜に応じて、本装置10を操作者から見て左手側に配置する場合には、シャフト部16が設けられる側のマット部12の一長手辺が左辺になるように本装置10を配置し、また、右手側に配置される場合には、この一長手辺が右辺になるように配置することにより、いずれの場合でもスキャナ部14およびシャフト部16は操作者の視界に入り難く、また、シャフト部16および突き当て部18が障害となることはない。
【００３３】
また、他の実施例において、本装置10は、図４ないし図６に示すように、マット部12の長手辺に沿った突き当て部18の他に、着脱可能な第２の突き当て部30を、マット部12の短手辺に沿った取り付け部32または34に対して取り付けて構成される。
【００３４】
第２の突き当て部30は、突き当て部18と同様に、マット部12の表面から上方に向けて突出する突起状または壁状のもので、本実施例ではとくに、マット部12または本装置10の台座の上面または側面に着脱可能に設けることができ、被読取媒体をマット部12に載置する際に照準となり、その載置を容易にする効果をより高めるものである。本実施例において、第２の突き当て部30は、第１の突き当て部18と同様の形状でよく、マット部12の短手辺に沿って、たとえばこの辺に平行して取り付けられる。
【００３５】
図４ないし図６において、第２の突き当て部30は、突起状かつ円柱状の複数のストッパーが適用されているが、円柱状以外の他の形状の突起物でもよく、また、長手方向のいずれにおいても断面積が均一であるような棒状のストッパーでもよい。また、第２の突き当て部30は、マット部12の取り付け部32または34に対して、複数のストッパーを個々に取り付けるものでもよく、または、複数のストッパーを一直線状に並べて一体化した突き当て部を取り付けるものでもよい。
【００３６】
本装置10は、マット部12の２つの短手辺のいずれにおいても、第２の突き当て部30を着脱可能に取り付けることができるように構成され、本装置10を操作者から見て左手側に配置する場合も、右手側に配置する場合も、マット部12の長手方向において操作者から見て奥側の短手辺に沿って第２の突き当て部30を配設することにより操作性を高めることができる。
【００３７】
本実施例において、本装置10に対する第２の突き当て部30の着脱には、いずれの着脱手段が適用されてもよい。たとえば本装置10は、マット部12の２つの短手辺に沿って、本装置10の台座またはマット部12における第２の突き当て部30の取り付け位置をあらかじめ決めて、２つの短手辺のそれぞれの側に取り付け部32および34を備えてよい。たとえば、第２の突き当て部30の下方に凸部を設け、取り付け部32および34に凹部を設けて、両者を嵌め込むように構成してもよい。この場合、第２の突き当て部30が取り付けられない側の凹部を覆う機構を設けるとよい。
【００３８】
本装置10は、被読取媒体としてさまざまなサイズの書類を載置できるように、たとえばA4サイズやB5サイズなどの書類の縦の長さに適合するように、２つの短手辺のそれぞれの側において複数の位置に取り付け部を備えて、読み取り対象の書類のサイズに応じた取り付け部に対して第２の突き当て部30を取り付けるようにしてもよい。
【００３９】
また、他の実施例において、本装置10は、図７に示すように、スキャナ部14で読み取った画像の上下方向の反転を指示する画像反転切替部40を含んで構成される。
【００４０】
画像反転切替部40は、読取画像の反転のオン／オフを示す切替信号112および114を制御部22に供給するものであり、その切替信号の制御動作にはいずれの機構を適用することもでき、たとえば画像反転切替部40は、操作部もしくはその他の設備の操作に応動して切替信号のオン／オフを切り替えてもよい。本実施例ではとくに、画像反転切替部40は、本装置10の向きに応じて、すなわち本装置10の長手方向の側面に備わるシャフト部16が操作者の左手側および右手側のいずれに配置されているかに応じて、たとえば第２の突き当て部30の取り付け部32または34への着脱に応動して、切替信号のオン／オフを切り替えることができる。
【００４１】
たとえば画像反転切替部40は、図７に示すように、スイッチのオン／オフを示す切替信号112および114を制御部22に送るスイッチ42および44を有して構成され、それぞれ、本装置10の台座またはマット部12における取り付け部32および34に接続して設けられる。スイッチ42および44は、それぞれ、第２の突き当て部30の取り付け部32および34への着脱に応動して動作し、第２の突き当て部30が取り付けられている場合にはオンを示し、それ以外の場合にはオフを示す切替信号112および114を出力する。
【００４２】
本装置10において、制御部22は、画像反転切替部40からの切替信号に応じて読取画像102の上下反転を行い、たとえば、取り付け部32および34に接続されたスイッチ42および44からの切替信号112および114がそれぞれオフおよびオンである場合に限り、読取画像の上下反転処理を行って画像データ104を生成する。
【００４３】
本装置10では、通常、スキャナ部14で撮像した読取画像102は制御部22に出力されて、制御部22によって画像メモリ24に書き込まれ、また、外部機器に出力するために制御部22によって画像メモリ24から読み出されることになる。本実施例ではとくに、制御部22は、読取画像102の上下反転処理を行う場合、画像データ104を画像メモリ24に書き込む際、または画像メモリ24から読み出す際に、書き込み開始アドレスまたは読み出し開始アドレスを逆転させることにより、画像を反転することができる。また、制御部22における画像の反転には、他の反転手段が適用されてもよい。
【００４４】
したがって、本実施例では、本装置10が操作者の左手側に配置されるとき、第２の突き当て部30は取り付け部32に取り付けられてスイッチ42がオンになり、第２の突き当て部30が取り付けられていない取り付け部34に接続されたスイッチ44はオフであるので、制御部22では読取画像102の反転処理を行わないことになる。他方、本装置10が操作者の右手側に配置されるとき、第２の突き当て部30は取り付け部34に取り付けられてスイッチ44がオンになり、第２の突き当て部30が取り付けられていない取り付け部32に接続されたスイッチ42はオフであるので、制御部22では読取画像102の反転処理が行われる。このように、本装置10では、切替信号112および114を判定することにより、本装置10が操作者の左手側または右手側に配置されているかを認識することができる。
【００４５】
また、本装置10は、操作者の利用環境に応じて、第２の突き当て部30の取り付けパターンや、配置の向きをさまざまに変えることができるので、画像反転切替部40におけるスイッチ42および44の切替信号に対する画像反転の判定手法は、上記の例に限らず、操作者の便宜に応じてさまざまなパターンに対応できるように設定可能にするとよい。
【産業上の利用可能性】
【００４６】
上述した実施例では、マット部12の長手方向が操作者から見て奥側および手前側を向くように本装置10を配置することが、操作者の便宜に適応していると想定して、シャフト部16をマット部12の長手辺の中央付近に配設しているが、マット部12の短手方向が操作者から見て奥側および手前側を向くように本装置10を配置することが、操作者の便宜に適応している場合には、当然ながら、シャフト部16をマット部12の短手辺の中央付近に配設してもよい。その場合、上述の実施例において、長手辺および短手辺に関連する構成は互いに逆になる。
【００４７】
また、上記実施例では、本装置10は、操作者から見た被読取媒体の書類の向きがそのまま読取画像の向きになるように画像反転を制御しているが、操作者に対面する者から見た被読取媒体の書類の向きが読取画像の向きになるように画像反転を制御してもよい。
【００４８】
さらに、本装置10は、制御部における読取画像の反転処理に関して、上下反転に限らず、左方向または右方向に90度回転する画像処理も可能にし、さまざまな反転処理を設定可能にしてもよい。
【符号の説明】
【００４９】
10  非接触型イメージ読取装置
12  マット部
14  スキャナ部
16  シャフト部
18  突き当て部
【図１】
0005605021.tif 000002
【図２】
0005605021.tif 000003
【図３】
0005605021.tif 000004
【図４】
0005605021.tif 000005
【図５】
0005605021.tif 000006
【図６】
0005605021.tif 000007
【図７】
0005605021.tif 000008